(57)【要約】【課題】小型軽量化が可能な挟み込みタイプの双眼鏡保持装置を提供すること。【解決手段】双眼鏡の左右の鏡筒を載置し、左右方向の幅が前記双眼鏡の左右方向の幅よりも小さい載せ台と、前記載せ台上に設けられた一本の支柱と、前記載せ台に載置された前記双眼鏡の左右の鏡筒を前記載せ台との間に挟持し、その際正面から見て前記支柱とともに略Ｔ字形状を形成し、左右方向の幅が前記双眼鏡の左右方向の幅よりも小さい押え部材とを備えたことを特徴とする双眼鏡保持装置。【選択図】図７
2011064896.tif 000002
【特許請求の範囲】
【請求項１】
双眼鏡の左右の鏡筒を載置する載せ台と、
前記載せ台の正面から見て左右方向のほぼ中心位置に設けられた一本の支柱と、
前記一本の支柱に保持され、前記載せ台に載置された前記双眼鏡の左右の鏡筒を前記載せ台との間に挟持するための押え部材と、
前記押え部材と前記載せ台との間隔を可変にする調整機構とを備えたことを特徴とする双眼鏡保持装置。
【請求項２】
前記調整機構は、前記押え部材を上下方向に移動することで前記載せ台との間での前記左右の鏡筒の挟持と開放とを可能にすることを特徴とする請求項１に記載の双眼鏡保持装置。
【請求項３】
前記押え部材の前記左右の鏡筒に接触する面と前記載せ台の前記左右の鏡筒に接触する面とは、非平行状態で前記双眼鏡の左右の鏡筒を挟持することを特徴とする請求項１または２に記載の双眼鏡保持装置。
【請求項４】
前記調整機構は、前記支柱の同軸上に設けられ、前記支柱に対して伸縮可能に螺合したねじ部材からなることを特徴とする請求項２または３に記載の双眼鏡保持装置。
【請求項５】
前記支柱は前記載せ台に対して直立状態と倒れた状態とを選択可能に設けられていることを特徴とする請求項１から４の何れか一項に記載の双眼鏡保持装置。
【請求項６】
前記押え部材は、一方が他方よりも長い長方形の面形状を有し、前記長手方向の寸法が前記左右の鏡筒を前方側と後方側とでそれぞれ連結する２つの連結部の間隔よりも短くかつ、左右の鏡筒で保持する光軸間の距離よりも長い寸法を持つことを特徴とする請求項１から４の何れか一項に記載の双眼鏡保持装置。
【請求項７】
前記押え部材は前記支柱に対して着脱可能であり、取り外した前記押え部材は、前記載せ台の上側面に倒された状態の前記支柱を覆って前記載せ台の上側面に載置され固定可能であることを特徴とする請求項１から５の何れか一項に記載の双眼鏡保持装置。
【請求項８】
前記支柱および前記押え部材は、弾性部材によって前記載せ台の上側面に倒れる方向に力を加えられていることを特徴とする請求項１から３の何れか一項に記載の双眼鏡保持装置。
【発明の詳細な説明】
【技術分野】
【０００１】
本発明は双眼鏡を三脚等の架台に固定するための保持装置に関する。
【背景技術】
【０００２】
従来、双眼鏡を三脚等の架台に取付けるための保持装置において、双眼鏡の鏡筒を上下方向から挟み込むタイプのものがある（例えば、特許第４０６５９２２号公報参照。）。
【０００３】
挟み込みタイプの保持装置は、双眼鏡の左右の鏡筒よりも外側に設けられた２本の直立柱上部に、当該２本の直立柱を連結し、双眼鏡を挟み込む押え部材を備え、押え部材を上下に昇降する構成となっている。
【先行技術文献】
【特許文献】
【０００４】
【特許文献１】特許第４０６５９２２号公報
【発明の概要】
【発明が解決しようとする課題】
【０００５】
しかし、このような構成の双眼鏡保持装置にあっては、双眼鏡の左右に直立柱が配置されるため、左右幅の寸法は双眼鏡本体よりも必然的に大きなものとなる。
【０００６】
本発明はこのような状況に鑑みてなされたものであり、外径寸法を小さくすることが可能な挟み込みタイプの双眼鏡保持装置を提供することを課題とする。
【課題を解決するための手段】
【０００７】
上記課題を解決するため、本発明に係る双眼鏡保持装置は、双眼鏡の左右の鏡筒を載置するための載せ台と、前記載せ台の正面から見て左右方向のほぼ中央位置に設けられた一本の支柱と、前記支柱に保持され、前記載せ台に載置された前記双眼鏡の左右の鏡筒を前記載せ台との間に挟持する押え部材と、前記載せ台と押え部材の間隔を可変にする調整機構とを備えたことを特徴とする。
【発明の効果】
【０００８】
本発明によれば、外径寸法が従来のものよりも大きくならない挟み込みタイプの双眼鏡保持装置を提供することができる。
【図面の簡単な説明】
【０００９】
【図１】第１実施形態に係る双眼鏡保持装置を側面から見た断面図である。
【図２】第１実施形態に係る双眼鏡保持装置の一部を切り欠いて示す正面図である。
【図３】第１実施形態に係る双眼鏡保持装置の平面図である。
【図４】第１実施形態に係る双眼鏡保持装置に双眼鏡を取付けた状態を側面から見た断面図である。
【図５】第１実施形態に係る双眼鏡保持装置に双眼鏡を取付けた状態の平面図である。
【図６】第１実施形態に係り、双眼鏡を取付けた保持装置を三脚に取付けた状態を、一部を切り欠いて示す側面図である。
【図７】第１実施形態に係る双眼鏡保持装置に双眼鏡を取付けた状態を、一部を切り欠いて示す正面図である。
【図８】第１実施形態に係る双眼鏡保持装置に保持される双眼鏡の形状を示す平面図である。
【図９】（ａ）は第１実施形態に係り、支柱および押え部材を収容した状態を示す平面図であり、（ｂ）は側面から見た断面図である。
【図１０】第２実施形態に係る双眼鏡保持装置に保持される双眼鏡の形状を示す平面図である。
【図１１】第２実施形態に係る双眼鏡保持装置の一部を切り欠いて示す側面図である。
【図１２】第２実施形態に係る双眼鏡保持装置を上側から見た平面図である。
【図１３】第２実施形態に係る双眼鏡保持装置を側面から見た断面図である。
【図１４】第２実施形態に係る双眼鏡保持装置に双眼鏡を取付けた状態を上側から見た平面図である。
【図１５】（ａ）は第３実施形態に係る双眼鏡保持装置に双眼鏡を取付けた状態の平面図であり、（ｂ）は側面図である。
【発明を実施するための形態】
【００１０】
以下、本発明の実施形態について図面を参照しつつ説明する。なお、本明細書において、双眼鏡の対物レンズ側を正面または前方側とし、接眼レンズ側を後方側とする。また、上下方向は双眼鏡を通常に水平に構えた状態について言い、左右方向は双眼鏡を通常に水平に構えて接眼部側から見た状態について言う。
【００１１】
図１、４、６においては紙面左側が対物レンズ側で紙面右側が接眼レンズ側である。図２、７においては紙面手前側が対物レンズ側であり紙面奥側が接眼レンズ側である。図３、５、８においては紙面左側が対物レンズ側で紙面右側が接眼レンズ側であり、紙面手前側が上方向である。
【００１２】
（第１実施形態）
図１は第１実施形態に係る双眼鏡保持装置を側面から見た断面図であり、図２は正面図、図３は平面図である。図４は第１実施形態に係る保持装置１に双眼鏡４を取付けた状態を側面から見た断面図であり、図５は第１実施形態に係る双眼鏡保持装置１に双眼鏡４を取付けた状態の平面図である。
【００１３】
第１実施形態に係る双眼鏡保持装置１（以下、単に保持装置１と略記する。）は、双眼鏡４の左右の鏡筒７Ｌ、７Ｒを載置するための載せ台１３と、載せ台１３の上側面１３ａの前方側に設けられた可倒式の支柱１６と、載せ台１３に載置された双眼鏡４の左右の鏡筒７Ｌ、７Ｒを載せ台１３との間に挟持するための押え部材１９とを備えている。
【００１４】
載せ台１３は、図３に示すように、前後方向、すなわち載置される双眼鏡４の望遠光学系の光軸ＬＬ、ＬＲ方向が長い方の辺となる略長方形の板状に形成されている。載せ台１３の左右方向の幅は載置される双眼鏡４の左右の対物レンズの中心間距離と同程度の大きさである。つまり、載置される左右の鏡筒７Ｌ、７Ｒの光軸ＬＬ、ＬＲ間距離と同程度の大きさである。また、載せ台１３の前後方向の長さは、左右方向の長さの約１．５倍から２倍程度の長さとなっている。載せ台１３の上下方向の厚さは、図１に示すように、載せ台１３の下側面１３ｂを水平にした状態で、前方側の方が薄く、後方側の方に向かうに従い厚くなるように形成されている。つまり左右の鏡筒７Ｌ、７Ｒが接触する面である載せ台１３の上側面１３ａは、水平にした下側面１３ｂに対して傾斜した面となっている。載せ台１３の上側面１３ａには、左右方向の中央部に前後方向に延在する溝２２が設けられている。溝２２は載せ台１３の前方側の端部から後方側の端部に亘って設けられている。溝２２の幅および深さは支柱１６の径よりも大きく形成されている。載せ台１３の上側面１３ａにはゴム等からなる１対の緩衝部材２５、２５が貼り付けられている。載せ台１３の下側面１３ｂには三脚等の架台を取付けるための雌ねじ２８が設けられている。雌ねじ２８の設置位置は、保持装置１の重心位置とほぼ同じ位置に設けられており、三脚取付け時にバランスが取れるような位置に設定している。
【００１５】
支柱１６は載せ台１３の上側面１３ａに設けられた溝２２の前方側端部近傍に設けられている。支柱１６の載せ台１３側の端部には左右方向に突出する１対の突出部３１、３１が形成されている。この突起部３１は、図２に示すように、溝２２を形成する両壁にそれぞれ形成された凹部３４に回動可能に係合している。このような構成なので、支柱１６は左右の突出部３１、３１を軸にして前後方向に回動が可能になっている。後述するように、双眼鏡４を載置するときは支柱１６を載せ台１３に対してほぼ直立する状態まで回動させて使用する。そのため、溝２２の前方側端部近傍には、支柱１６が載せ台１３に対して直立した状態からさらに前方側に傾かないようにストッパ３７が設けられている。なお、本明細書において水平とは載せ台１３の下側面１３ｂを水平にした状態を言い、直立とは載せ台１３の下側面１３ｂを水平にした状態において、下側面１３ｂに対して直立していることを言う（以下、第２および第３実施形態においても同様。）。
【００１６】
以下、支柱１６を直立させた状態で第１実施形態に係る保持装置１の構成を説明する。
【００１７】
支柱１６の上方側の一端にはクランプノブ４０が連結されている。クランプノブ４０は、ノブ部４０ａと、ノブ部４０ａの下側面から下方に向かってノブ部４０ａと一体に形成された軸４３とからなっている。軸４３の下方側には、軸４３よりも外径が大きい雄ねじ４６が形成されている。また、支柱１６の上方側には、上下方向、すなわち支柱１６の軸方向に雌ねじ１６ａが形成されている。この雌ねじ１６ａに軸４３の雄ねじ４６が上方からねじ込まれ、螺合している。この螺合により、クランプノブ４０と支柱１６とは同軸上に連結されている。クランプノブ４０は、クランプノブ４０を回転させることで軸４３の雄ねじ４６が回転し、その雄ねじ４６と支柱１６の雌ねじ１６ａとの螺合量を変化させ、支柱１６に対して上下方向に移動が可能となっている。またクランプノブ４０は、クランプノブ４０が上昇する方向に回転させることで支柱１６から抜くことができる。つまり、クランプノブ４０は支柱１６から取り外すことができるようになっており、支柱１６に対して着脱自在となっている。
【００１８】
クランプノブ４０のノブ部４０ａの方から下方へ順に押え部材１９と軸受け４９とが設けられている。押え部材１９と軸受け４９は、ともに軸４３が挿通されている。また、押え部材１９は左右方向の中央部でかつ前後方向の前側に軸４３を挿通している。軸受け４９は雄ねじ４６によって支えられ、押え部材１９は軸受け４９に支えられている。押え部材１９は図１、２、３に示すように略長方形に形成され、左右方向の幅は載せ台１３とほぼ同じ大きさに形成されている。つまり載置される双眼鏡４の左右の光軸ＬＬ、ＬＲ間距離とほぼ同じ大きさに形成されている。また押え部材１９の前後方向の長さは載せ台１３の半分程度の大きさとなっている。なお、左右の鏡筒７Ｌ、７Ｒが接触する面である押え部材１９の下側面１９ｂにはゴム等の緩衝部材５２が貼り付けられている。
【００１９】
軸受け４９はスラスト軸受けである。クランプノブ４０の軸４３は軸受け４９の中心を貫通し、軸受け４９は軸４３と一体に設けられている。軸受け４９の外径はクランプノブ４０の径と同程度またはそれよりも大きな外径を有するが、載せ台１３の溝２２の幅よりも小さな外径となっている。
【００２０】
押え部材１９の下側面１９ｂの前方側で左右方向の中央部には、上方に凹んだ凹部５５が形成されている。凹部５５の径は軸受け４９の径よりも少し大きめに形成されている。クランプノブ４０の軸４３は凹部５５の中央部で押え部材１９を挿通している。軸４３が挿通する押え部材１９の貫通孔４５の径は、軸４３の径よりも少し大きく形成されている。軸受け４９は上側の半分ほどが押え部材１９の凹部５５に係合し、凹部５５の底面を回転自在に支持している。この係合により、押え部材１９はクランプノブ４０に対して軸４３方向には移動が規制されているが、軸４３周りに回転自在となっている。凹部５５の底面は、軸受け４９と凹部５５の底面とが相互に水平状態で係合した状態において、押え部材１９の後方側が載せ台３に近づく方向に少し傾くように、傾斜を持って形成されている。つまり、凹部５５の底面を水平にすると押え部材１９は後方側が載せ台３に近づく方向に傾くようになっている。凹部５５の底面がこのような形状となるように、凹部５５の深さは前方側が浅く、後方に向かうに従い深くなるように形成されている。
【００２１】
一方、押え部材１９の上側面１９ａには、下側面１９ｂの凹部５５に対応する位置に下方に凹んだ凹部５６が形成されている。凹部５６の中心は軸４３が貫通している。凹部５６の底面も、当該底面を水平にすると押え部材１９の後方側が載せ台３に近づく方向に傾くように、凹部５５の底面の傾斜と対応した傾斜を持って形成されている。つまり凹部５６の深さは前方側が深く、後方に向かうに従い浅くなるように形成されている。凹部５６には、押え部材１９とクランプノブ４０のノブ部４０ａとの間に介装されたワッシャ５７が配置されている。ワッシャ５７の上部はノブ部４０ａの下側面に接触し、下部は凹部５６の底面に接触している。
【００２２】
このように、押え部材１９は、凹部５５および凹部５６において、軸受け４９と、ワッシャ５７を介したノブ部４０ａとによって上下方向に挟持された状態でクランプノブ４０に取付けられている。そして、軸４３が貫通する押え部材１９の貫通孔４５の径は、軸４３の径よりも少し大きく形成されているので、軸４３が貫通孔４５内部で貫通孔４５に対して相対的に傾くことができる分だけ、押え部材１９は軸４３が貫通する貫通孔４５を中心部として上下方向に傾動可能となっている。そして、クランプノブ４０を回転させると、クランプノブ４０の上下動に伴って押え部材１９も上下動することができる。このように、クランプノブ４０は押え部材１９を上下方向に移動させるための操作手段となっている。
【００２３】
次に、第１実施形態に係る保持装置１の使用方法について説明する。なお、双眼鏡４の眼幅の調整は済んでいるものとする。
【００２４】
図４は第１実施形態に係る保持装置１に双眼鏡４を取付けた状態を側面から見た断面図であり、図５は第１実施形態に係る双眼鏡保持装置１に双眼鏡４を取付けた状態の平面図である。図６は双眼鏡４を取付けた保持装置１を三脚７６に取付けた状態を、一部を切り欠いて示す側面図であり、図７は、図６に示すように双眼鏡４を保持装置１に取付けた状態で一部を切り欠いて示す正面図である。また、図８は第１実施形態に係る双眼鏡保持装置１に保持される双眼鏡４の形状を示す平面図である。
【００２５】
第１実施形態に係る保持装置１において保持する双眼鏡４は、図８に示すように、接眼レンズ６４Ｌ、６４Ｒ側から見て左の鏡筒７Ｌおよび右の鏡筒７Ｒと、鏡筒７Ｌと鏡筒７Ｒとを連結して並置する連結部５８とを備えている。鏡筒７Ｌ内には、対物レンズ６１Ｌと接眼レンズ６４Ｌとを含む左の望遠光学系が設けられている。また、鏡筒７Ｒも同様に、対物レンズ６１Ｒと接眼レンズ６４Ｒとを含む右の望遠光学系が設けられている。連結部５８は、左右の鏡筒７Ｌ、７Ｒの中央部近傍の１箇所で鏡筒７Ｌと７Ｒとを連結している。
【００２６】
連結部５８は、図７に示すように、鏡筒７Ｌに一体に設けられた腕部６７Ｌと、鏡筒７Ｒに一体に設けられた腕部６７Ｒと、これら腕部６７Ｌ、６７Ｒを連結し、これら腕部６７Ｌ、６７Ｒとともに関節構造を構成し、関節構造の中心軸部材となる円筒状の関節軸７０とで構成されている。腕部６７Ｌには光軸ＬＬ、ＬＲ方向の穴（図示省略）が設けられ、腕部６７Ｒにも光軸ＬＬ、ＬＲ方向の穴７３Ｒが設けられている。これら腕部６７Ｌの図示しない穴と腕部６７Ｒの穴７３Ｒとが光軸ＬＬ、ＬＲ方向で同軸に連なるように配置され、これらの穴に関節軸７０が挿入されている。関節軸７０は穴７３Ｒに嵌合して、一方の腕部６７Ｌを関節軸７０周りに回動可能に、もう一方の腕部６７Ｒを関節軸７０周りに回動不能に支持している。こうして、腕部６７Ｌと６７Ｒとは、鏡筒７Ｌ、７Ｒの中央部で関節軸７０の軸ＭＡ（図８参照）を中心に互いに相対的に回動できるように関節軸７０を介して連結されている。したがって、鏡筒７Ｌ、７Ｒを、軸ＭＡを中心として互いに相対的に回動させることにより、双眼鏡４の眼幅を調整することができる。なお、軸ＭＡと左右の望遠光学系の光軸ＬＬ、ＬＲとは平行である。
【００２７】
このような、腕部６７Ｌ、６７Ｒを介して軸ＭＡで左右の鏡筒を連結している双眼鏡４においては、図８に示すように、左右の対物レンズ６１Ｌ、６１Ｒ間には必ず隙間Ａができる。支柱１６を直立させてクランプノブ４０を上昇させた状態、すなわち押え部材１９を上昇させた状態の保持装置１に、正面から見て左右の対物レンズ６１Ｌ、６１Ｒの間の隙間Ａに支柱１６が位置するように、左右の鏡筒７Ｌ、７Ｒを載せ台１３に載置する。より詳細には、図５に示すように、支柱１６の位置が双眼鏡４の関節軸７０の軸ＭＡ上で、左右の鏡筒７Ｌ、７Ｒの対物レンズ６１Ｌ、６１Ｒ側端部よりも前方に支柱１６が位置するように左右の鏡筒７Ｌ、７Ｒを載置する。あるいは、支柱１６の位置が上側から見て対物レンズ６１Ｌと６１Ｒとの間、すなわち隙間Ａに位置するように左右の鏡筒７Ｌ、７Ｒを載置しても良い。この状態において、載せ台１３の左右方向の端部は、図７に示すように、左右の対物レンズ６１Ｌ、６１Ｒの中心すなわち光軸ＬＬ、ＬＲからそれぞれ載せ台１３へ下ろした垂線が載せ台１３に交わる位置からそれぞれ左右方向に少し張り出した位置にある。つまり双眼鏡４の左右方向の端部よりも内側に位置している。また、載せ台１３の光軸ＬＬ、ＬＲ方向の端部については、図５、図６に示すように、前方側の端部は双眼鏡４の対物レンズ６１Ｌ、６１Ｒ側端部よりも前方に位置しているが、後方側の端部は双眼鏡４の中央部よりも少し後方側に位置している。つまり、載せ台１３の光軸ＬＬ、ＬＲ方向の長さは、双眼鏡４の光軸ＬＬ、ＬＲ方向の長さに比べてかなり短いものとなっている。しかし載せ台１３は双眼鏡４の重心位置を支持するための必要な長さは有しているので双眼鏡４が不安定になることはない。
【００２８】
このように左右の鏡筒７Ｌ、７Ｒを載置したら、クランプノブ４０を回転させ、押え部材１９を下方に移動させる。上述したように、載せ台１３は上側面１３ａが斜面になっており、双眼鏡の鏡筒の外装形状の光軸方向の傾斜角に合わせた斜面になっている。さらに、緩衝部材２５、２５が貼付されているので、左右の望遠光学系の光軸ＬＬ、ＬＲが水平になるように左右の鏡筒７Ｌ、７Ｒを載置することができる。そして押え部材１９の左右側と載せ台１３の左右側とがそれぞれ光軸ＬＬ、ＬＲ方向に沿うように揃える。押え部材１９は、クランプノブ４０が挿通している貫通孔４５を中心に上下方向に傾動可能であるため、下降しつつ下側面１９ｂが鏡筒７Ｌ、７Ｒの傾斜形状に沿って配置されてゆく。このように、第１実施形態に係る保持装置１は押え部材１９が上下方向に傾動するので、押え部材１９が傾動する範囲において載置された双眼鏡の鏡筒の傾斜形状に沿って鏡筒を挟持することができる。
【００２９】
こうして、載せ台１３に載置された双眼鏡４は、左右の鏡筒７Ｌ、７Ｒの対物レンズ６１Ｌ、６１Ｒ側が載せ台１３と押え部材１９とによって挟み込まれ、固定される。載せ台１３の上側面１３ａと押え部材１９の下側面１９ｂにはそれぞれ緩衝部材２５、５２が設けられているので、双眼鏡４の鏡筒７Ｌ、７Ｒに傷がつくことが防止され、また滑りも防止されるため安定してクランプすることができる。このとき、押え部材１９と支柱１６とは、正面から見て略Ｔ字形状となっている。また、載せ台１３の上側面１３ａと押え部材１９の下側面１９ｂとは、それぞれ左右の鏡筒７Ｌ、７Ｒの傾斜形状に沿って各鏡筒７Ｌ、７Ｒに接触しているので、非平行な状態で左右の鏡筒７Ｌ、７Ｒを挟持することとなる。
【００３０】
保持装置１に固定された双眼鏡４は、三脚等の架台に取付けられる。本実施形態においては、図６、図７に示すように、三脚７６に取付けられた雲台７９に取付けられている。載せ台１３の下側面１３ｂに設けられた雌ねじ２８に、三脚７６に取付けられた雲台７９の雲台座面８２に形成された雄ねじ（図示省略）がねじ込まれている。こうして、保持装置１に取付けられた双眼鏡４は雲台７９を介して三脚７６に取付けられ、観察者は雲台７９によって双眼鏡４を所望の方向に向け、視準後雲台７９を固定して安定して観察することができる。
【００３１】
このように、第１実施形態に係る双眼鏡保持装置１は、前後方向の大きさおよび左右方向の大きさが、保持する双眼鏡４の前後方向および左右方向の大きさよりも大きく張り出す必要は無いため、いずれも小さく形成され、小型軽量化が可能となっている。
【００３２】
次に、保持装置１を持ち運ぶ時等、使用しない場合の状態について説明する。
【００３３】
第１実施形態に係る保持装置１は、上述したようにクランプノブ４０および押え部材１９が支柱１６に対して着脱自在となっている。また、支柱１６は載せ台１３に対して下方側端部の突出部３１、３１を中心に光軸ＬＬ、ＬＲ方向に回動可能となっている。保持装置１はこれらの機構により、双眼鏡４を保持しないときはよりコンパクトに変形できるようになっている。
【００３４】
図９（ａ）は、第１実施形態に係る保持装置１をコンパクトに変形した状態を示す平面図であり、図９（ｂ）は同状態を側方から見た断面図である。なお、図９（ａ）においては、紙面左側が双眼鏡装着時に対物レンズ６１Ｌ、６１Ｒを配置する側で紙面右側が接眼レンズ６４Ｌ、６４Ｒを配置する側であり、紙面手前側が上方向である。また、図９（ｂ）においては、紙面左側が双眼鏡装着時に対物レンズ６１Ｌ、６１Ｒを配置する側で紙面右側が接眼レンズ６４Ｌ、６４Ｒを配置する側である。
【００３５】
載せ台１３の上側面１３ａに形成された溝２２の後部側には、図１、図３、および図４に示すように、雌ねじ８５が設けられている。雌ねじ８５はクランプノブ４０の雄ねじ４６が螺合できるようになっている。載せ台１３の下側面１３ｂには三脚７６等の架台の雄ねじが螺合する雌ねじ２８が設けてあるが、図１に示すように、上側面１３ａの雌ねじ８５と下側面１３ｂの雌ねじ２８とは上下方向に位置が重ならないように前後方向にずらして形成してある。
【００３６】
双眼鏡４が挟持されている状態から押え部材１９が上方に移動する方向にクランプノブ４０を回転操作し、双眼鏡４の挟持状態を解く。そして載せ台１３から双眼鏡４を取り外す。この状態から、クランプノブ４０をさらに同方向に回転操作し、クランプノブ４０およびクランプノブ４０に取付けてある押え部材１９を上方に移動させ、クランプノブ４０および押え部材１９を支柱１６から抜いて取り外す。次に支柱１６を下端の突出部３１、３１を中心に後方側に回動させ、溝２２の面上に倒す。支柱１６は溝２２の前方側端部から溝２２の中央部にかけて延在する状態となる。支柱１６の径は溝２２の深さ寸法よりも小さく形成されているので、支柱１６が載せ台１３の上側面１３ａよりも上方に突出することはない。
【００３７】
次に、支柱１６から取り外したクランプノブ４０を溝２２に形成された雌ねじ８５に取付ける。このとき、図９（ａ）、（ｂ）に示すように、押え部材１９の向きを使用時とは前後方向を逆にする。つまり、クランプノブ４０が接眼レンズ６４Ｌ、６４Ｒ側に位置するようにする。そしてクランプノブ４０の雄ねじ４６と溝２２の雌ねじ８５との位置を合わせ、クランプノブ４０を回転操作して雄ねじ４６と溝２２の雌ねじ８５とを螺合させる。クランプノブ４０の雄ねじ４６と溝２２の雌ねじ８５との螺合が進行するに伴って押え部材１９は載せ台１３の方に接近し、そして上側面１３ａに接触する。このとき、押え部材１９の左右側と載せ台１３の左右側とがそれぞれ前後方向に沿って揃うようにする。こうすることで、押え部材１９は載せ台１３の溝２２の中央部を覆い、載せ台１３の上側面１３ａから前後方向および左右方向にはみ出すことなく載せ台１３に載置された状態となる。この状態から押え部材１９と載せ台１３とがずれないように、クランプノブ４０を回転操作して適度に締め付ける。こうして押え部材１９は載せ台１３に載置された状態で固定される。また、溝２２は押え部材１９によって覆われるので、溝２２の面上に沿って倒されている支柱１６は、溝２２から飛び出すことはない。
【００３８】
こうして保持装置１は、図９（ｂ）に示すように、使用時の状態よりもコンパクトになり、携行、収納時に便利な形態となる。
【００３９】
このように、第１実施形態に係る双眼鏡保持装置１は軽量且つコンパクトであり、さらに携行あるいは収納にも便利なものとなっている。
【００４０】
なお、第１実施形態においては、図５に示すように、双眼鏡４を載せ台１３に載置した状態において、押え部材１９の後端部が双眼鏡４の連結部５８の前端部と上下方向に重なっているが、押え部材１９の前後方向の長さを短く形成して連結部５８とは上下方向に重ならないようにしても良い。双眼鏡の機種によっては、眼幅の調整具合によって連結部５８が左右の対物レンズ６１Ｌ、６１Ｒの上端を結ぶ線よりも上方側に突出する場合があるが、押え部材１９の前後方向の長さを短くすれば押え部材１９と連結部５８とが上下方向に重ならないので、双眼鏡４は眼幅の調整具合に関わらず左右の鏡筒７Ｌ、７Ｒが挟持される。そうすると、双眼鏡４を挟持した際に眼幅が変わってしまうことを防ぐことができる。
【００４１】
（第２実施形態）
次に第２実施形態について説明する。
【００４２】
第２実施形態に係る保持装置１０１に載置される双眼鏡１０４の形状は、第１実施形態とは異なっている。
【００４３】
第２実施形態に係る保持装置１０１において保持される双眼鏡１０４は、図１０に示すように、対物レンズ１６１Ｌ、１６１Ｒ側と接眼レンズ１６４Ｌ、１６４Ｒ側との２箇所において左の鏡筒１０７Ｌと右の鏡筒１０７Ｒとが連結されている。対物レンズ１６１Ｌ、１６１Ｒ側の連結部１５８ａおよび接眼レンズ１６４Ｌ、１６４Ｒ側の連結部１５８ｂの構造は第１実施形態の連結部５８と同様で、眼幅の調整ができるようになっている。左右の鏡筒１０７Ｌ、１０７Ｒと２箇所の連結部１５８ａ、１５８ｂによって、左右の鏡筒１０７Ｌ、１０７Ｒの間には前後方向に細長い中空部Ｓが形成されている。他の構成は第１実施形態で用いた双眼鏡４と同様である。
【００４４】
次に第２実施形態に係る保持装置について説明する。
【００４５】
図１１は第２実施形態に係る双眼鏡保持装置１０１の一部を切り欠いて示す側面図であり、図１２は上側から見た平面図である。図１１においては紙面左側が対物レンズ１６１Ｌ、１６１Ｒ側で、紙面右側が接眼レンズ１６４Ｌ、１６４Ｒ側である。図１２においては紙面左側が対物レンズ１６１Ｌ、１６１Ｒ側で、紙面右側が接眼レンズ１６４Ｌ、１６４Ｒ側であり、紙面手前側が上方向である。
【００４６】
第２実施形態に係る双眼鏡保持装置１０１は、双眼鏡１０４の左右の鏡筒１０７Ｌ、１０７Ｒを載置するための載せ台１１３と、載せ台１１３の中央部に設けられた支柱１１６と、載せ台１１３に載置された双眼鏡１０４の左右の鏡筒１０７Ｌ、１０７Ｒを載せ台１１３との間に挟持するための押え部材１１９とを備えている。
【００４７】
載せ台１１３は、図１２に示すように、左右方向が長い方の辺となる略長方形の板状に形成されている。載せ台１１３の左右方向の幅は載置される双眼鏡１０４の左右の鏡筒１０７Ｌ、１０７Ｒの光軸ＬＬ、ＬＲ間距離と同程度の大きさである。また、載せ台１１３の前後方向の長さは、左右方向の長さよりも短く形成されている。載せ台１１３の上下方向の厚さは、図１１に示すように、載せ台１１３の下側面１１３ｂを水平にした状態で、対物レンズ１６１Ｌ、１６１Ｒ側の方が薄く、接眼レンズ１６４Ｌ、１６４Ｒ側の方に向かうに従い厚くなるように形成されている。つまり左右の鏡筒１０７Ｌ、１０７Ｒが接触する載せ台１１３の上側面１１３ａは斜面となっている。載せ台１１３の下側面１１３ｂには三脚等の架台を取付けるための雌ねじ１２８が設けられている。
【００４８】
支柱１１６は載せ台１１３の中央部に設けられている。第２実施形態においては、支柱１１６は載せ台１１３に対して直立した状態で固定してある。
【００４９】
支柱１１６の上方にはクランプノブ１４０が連結されている。クランプノブ１４０は、ノブ部１４０ａと、ノブ部１４０ａの下側面から下方に向かってノブ部１４０ａと一体に形成された軸１４３とからなっている。軸１４３はクランプノブ１４０の回転軸である。クランプノブ１４０と支柱１１６との係合は第１実施形態と同様の構成になっている。すなわち、支柱１１６の上側に設けられた雌ねじ１１６ａにクランプノブ１４０の雄ねじ１４６が上方からねじ込まれ、螺合している。クランプノブ１４０は、第１実施形態と同様に、回転させることで螺合の量を変化させ、支柱１１６に対して上下方向に移動が可能となっている。
【００５０】
クランプノブ１４０のノブ部１４０ａと雄ねじ１４６との間の軸１４３には、上方から順に押え部材１１９と軸受け１４９とが設けられている。クランプノブ１４０は押え部材１１９の中央部に位置している。雄ねじ１４６は軸受け１４９の下側に形成されている。押え部材１１９は図１１、１２に示すように略長方形に形成され、長い方の辺の寸法は載せ台１１３の左右の幅とほぼ同じ大きさに形成されている。つまり載置される双眼鏡１０４の左右の光軸ＬＬ、ＬＲ間距離とほぼ同じ大きさに形成されている。そして長い方の辺の寸法は、左右の鏡筒１０７Ｌ、１０７Ｒと２つの連結部１５８ａ、１５８ｂによって形成される中空部Ｓの光軸ＬＬ、ＬＲ方向の長さよりも小さく形成されている。また押え部材１１９の短い方の辺の寸法は支柱１１６の径よりも少し大きく形成されている。そして短い方の辺の寸法は中空部Ｓの左右方向の長さよりも小さく形成されている。左右の鏡筒１０７Ｌ、１０７Ｒが接触する押え部材１１９の下側面１１９ｂには緩衝部材（図示省略）が貼付されている。
【００５１】
軸受け１４９は第１実施形態と同様にスラスト軸受けである。クランプノブ１４０の軸１４３は軸受け１４９の中心を貫通し、軸受け１４９は軸１４３と一体に設けられている。
【００５２】
押え部材１１９は第１実施形態と同様の構成でクランプノブ１４０へ取付けてある。したがって、押え部材１１９は、クランプノブ１４０に対して軸１４３方向には移動が規制されているが、軸１４３周りに回転自在となっている。図１１、１２において、破線は押え部材１１９が前後方向に沿った状態を示している。そして押え部材１１９は、軸１４３が貫通する貫通孔１４５を中心部として所定範囲で上下方向に傾動可能となっている。このような構成なので、クランプノブ１４０は押え部材１１９を上下方向に移動させるための操作手段となっており、クランプノブ１４０を回転させると、クランプノブ１４０の上下動に伴って押え部材１１９も上下動する。
【００５３】
次に、第２実施形態に係る保持装置１０１の使用方法について説明する。なお、双眼鏡１０４の眼幅の調整は済んでいるものとする。
【００５４】
図１３は第２実施形態に係る保持装置１０１に双眼鏡１０４を取付けた状態を側面から見た断面図であり、図１４は上側から見た平面図である。なお、図１３においては紙面左側が対物レンズ１６１Ｌ、１６１Ｒ側で、紙面右側が接眼レンズ１６４Ｌ、１６４Ｒ側である。図１４においては紙面左側が対物レンズ１６１Ｌ、１６１Ｒ側で、紙面右側が接眼レンズ１６４Ｌ、１６４Ｒ側であり、紙面手前側が上方向である。
【００５５】
まず、クランプノブ１４０を上昇させた状態、すなわち押え部材１１９を上昇させた状態で、押え部材１１９を回動させ、押え部材の長い方の辺を前後方向に沿って揃える。第２実施形態における双眼鏡１０４においては、上述したように、左右の鏡筒１０７Ｌ、１０７Ｒおよび２つの連結部１５８ａ、１５８ｂによって左右の鏡筒１０７Ｌ、１０７Ｒ間に中空部Ｓが形成されている。双眼鏡１０４を、中空部Ｓと保持装置１０４の押え部材１１９とが上下方向に重なるように保持装置１０１の上方に位置させる。その位置から双眼鏡１０４を下方に移動させると、図１３および図１４の破線で示したように、押え部材１１９は中空部Ｓを下から上へ通り抜ける。双眼鏡１０４をさらに下方に移動させ、左右の鏡筒１０７Ｌ、１０７Ｒが載せ台１１３に接触したら、長い方の辺が光軸ＬＬ、ＬＲに沿った方向を向いている押え部材１１９を９０°回転させ、長い方の辺を光軸ＬＬ、ＬＲと直交する方向にする。そしてクランプノブ１４０を回転操作して押え部材１１９を下方に移動させる。上述したように、載せ台１１３は上側面１１３ａが斜面形状になっているので左右の望遠光学系の光軸ＬＬ、ＬＲが水平になるように載置することができる。そして押え部材１１９は、クランプノブ１４０が貫通している貫通孔１４５を中心に上下方向に傾動可能であるため、下降しつつ下側面１１９ｂが鏡筒１０７Ｌ、１０７Ｒの傾斜形状に沿って配置されてゆく。
【００５６】
こうして、載せ台１１３に載置された双眼鏡１０４は、左右の鏡筒１０７Ｌ、１０７Ｒの中央部付近が載せ台１１３と押え部材１１９とによって挟み込まれ、固定される。載せ台１１３の上側面１１３ａには緩衝部材１２５が設けられ（図１２参照）、また、押え部材１１９の下側面１１９ｂにも緩衝部材（図示省略）が設けられているので、双眼鏡１０４の鏡筒１０７Ｌ、１０７Ｒに傷がつくことを防止し、また滑りも防止するので安定してクランプすることができる。このとき、押え部材１１９と支柱１１６とは、正面から見て略Ｔ字形状となっている。また、載せ台１１３の上側面１１３ａと押え部材１１９の下側面１１９ｂとは、左右の鏡筒１０７Ｌ、１０７Ｒの傾斜形状に沿って各鏡筒１０７Ｌ、１０７Ｒに接触しているので、非平行な状態で左右の鏡筒１０７Ｌ、１０７Ｒを挟持することとなる。
【００５７】
双眼鏡１０４を挟持した状態において、載せ台１１３および押え部材１１９の左右方向の端部は、図１４に示すように、左右の光軸ＬＬ、ＬＲからそれぞれ左右方向に少し張り出した位置にある。つまり双眼鏡１０４の左右方向の端部よりも内側に位置している。また、載せ台１１３の光軸ＬＬ、ＬＲ方向の端部は、前方側の端部は対物レンズ１６１Ｌ、１６１Ｒ側の連結部１５８ａよりも後方に位置し、後方側の端部は接眼レンズ１６４Ｌ、１６４Ｒ側の連結部１５８ｂよりも前方に位置している。このように載せ台１１３の光軸ＬＬ、ＬＲ方向の長さは、双眼鏡１０４の光軸ＬＬ、ＬＲ方向の長さに比べてかなり短いものとなっている。また、押え部材１１９が双眼鏡１０４を挟持する部分の光軸ＬＬ、ＬＲ方向の長さは短いものとなっているが、この部分は双眼鏡１０４の重心位置に近い位置なので支持力は充分であり、双眼鏡１０４が不安定になることはない。このように第２実施形態においては、双眼鏡１０４の重心位置に近い位置で双眼鏡１０４を挟持するので、保持装置１０１はより小型化ができる。そして保持装置１０１に固定された双眼鏡１０４は、第１実施形態と同様に三脚等の架台に取付けられる。
【００５８】
このように、第２実施形態に係る双眼鏡保持装置１０１においても、前後方向の大きさおよび左右方向の大きさが、保持する双眼鏡１０４の前後方向および左右方向の大きさよりも小さく形成され、小型軽量となっている。
【００５９】
（第３実施形態）
次に第３実施形態について説明する。
【００６０】
図１５（ａ）は第３実施形態に係る双眼鏡保持装置２０１に双眼鏡２０４を取付けた状態を示す平面図であり、（ｂ）は側面図である。なお、図１５（ａ）においては紙面左側が対物レンズ側で、紙面右側が接眼レンズ側であり、紙面手前側が上方向である。図１５（ｂ）においては紙面左側が対物レンズ側で、紙面右側が接眼レンズ側である。
【００６１】
第３実施形態に係る保持装置２０１は、第１実施形態に係る保持装置１とは押え部材２１９の形状と押え部材２１９を上下動させ、左右の鏡筒を挟持する機構が異なっている。第３実施形態において保持される双眼鏡２０４は、第１実施形態における双眼鏡４と同じタイプで、左右の鏡筒２０７Ｌ、２０７Ｒの中央部近傍の１箇所で鏡筒２０７Ｌと２０７Ｒとを連結している。
【００６２】
上述したように、第１実施形態（および第２実施形態）においては、押え部材１９（１１９）の上下動をクランプノブ４０（１４０）の雄ねじ４６（１４６）と支柱１６（１１６）の雌ねじ１６ａ（１１６ａ）との螺合量を変えることによって行い、クランプノブ４０（１４０）を支柱１６（１１６）にねじ込むことで双眼鏡１（１０１）を挟持したが、第３実施形態においては、押え部材２１９の上下動および双眼鏡２０１の挟持をクリップ構造によって行っている。
【００６３】
図１５（ａ）、（ｂ）に示すように、支柱２１６は載せ台２１３の前方側端部近傍の中央部に設けられている。支柱２１６は可倒式となっている。また、図１５（ｂ）に示すように、支柱２１６が載せ台２１３に対して直立した状態において、支柱２１６の上端部には押え部材２１９が取付けられている。押え部材２１９は、前方側端部の中央部に、前方に向かって突出する突出部２１９ａが形成されており、突出部２１９ａが支柱２１６の上端部に取付けられている。また、支柱２１６が載せ台２１３に対して直立した状態において、押え部材２１９は図１５（ｂ）に示すように、後方側が載せ台２１３の方に近づく方向に傾斜して支柱２１６に取付けられている。また、載せ台２１３の上側面２１３ａは第１実施形態と同様に斜面形状となっている。したがって載せ台２１３の上側面２１３ａと押え部材２１９の下側面２１９ｂとは非平行になっている。
【００６４】
支柱２１６の下端部には第１実施形態と同様に左右方向に突出部２３１、２３１が形成されている。支柱２１６の下端部は載せ台２１３に形成された凹部２１３ｃ内部に配置され、突出部２３１、２３１が凹部２１３ｃ内部の壁に設けられた凹部（図示省略）に対して回動可能に係合している。したがって支柱２１６は下端部の突出部２３１、２３１を中心にして前後方向に回動可能となっている。支柱２１６に取付けられた押え部材２１９は支柱２１６と一体に回動する。支柱２１６の左側面および右側面の下方部には、１対のスプリング部材２２２、２２２の一方の端部が１対１に対応して取付けられている。スプリング部材２２２、２２２のもう一方の端部は、スプリング部材２２２、２２２を所定量伸ばした状態で、載せ台２１３の凹部２１３ｃよりも後方側の位置にそれぞれ取付けられている。したがって、支柱２１６はスプリング部材２２２、２２２の弾性力により、下端部の突出部２３１、２３１を中心にして後方側に倒れる方向に力が加わっている。双眼鏡２０４を載置していない状態においては、支柱２１６および押え部材２１９は押え部材２１９の後方側端部が載せ台２１３の上側面２１３ａに接触している状態まで後方側に傾斜している。
【００６５】
次に第３実施形態に係る双眼鏡保持装置２０１の使用方法について説明する。なお、双眼鏡２０４の眼幅の調整は済んでいるものとする。
【００６６】
操作者はまず、双眼鏡２０４が載置されていない状態における、後方側に傾斜している支柱２１６および押え部材２１９を、スプリング部材２２２、２２２の弾性力に抗して前方側に回動させる。すると、押え部材２１９は載せ台２１３との間隔を広げて上昇しながら前方に回動する。支柱２１６が載せ台２１３に対して直立状態または直立状態よりも前方側に傾斜して押え部材２１９と載せ台２１３間の間隔が充分に開いたら、その状態で左右の鏡筒２０７Ｌ、２０７Ｒを載せ台２１３に載置する。このとき、正面から見て支柱２１６が左右の鏡筒２０７Ｌ、２０７Ｒ間に位置し、また、各鏡筒２０７Ｌ、２０７Ｒの対物レンズ側端部が支柱２１６近傍に位置するように載置する。
【００６７】
このように左右の鏡筒２０７Ｌ、２０７Ｒを載せ台２１３に載置したら、支柱２１６および押え部材２１９を静かに後方側に回動させる。後方側へはスプリング部材２２２、２２２の弾性力が働いているので、勢い良く戻らないように手で押えながら回動させ方が良い。押え部材２１９が回動しながら下降し、下側面２１９ｂが左右の鏡筒２０７Ｌ、２０７Ｒの上側面に接触したら、操作者は手を離す。この状態において、支柱２１６および押え部材２１９はスプリング部材２２２、２２２の弾性力により、後方側に倒れる方向に力が加わっている。したがって押え部材２１９は、接触している双眼鏡２０４の左右の鏡筒２０７Ｌ、２０７Ｒを上側から下側方向へ押し付ける。こうして左右の鏡筒２０７Ｌ、２０７Ｒは押え部材２１９と載せ台２１３とによって挟持される。このとき、押え部材２１９と支柱２１６とは、正面から見て略Ｔ字形状となっている。また、載せ台２１３の上側面２１３ａと押え部材２１９の下側面２１９ｂとは、左右の鏡筒２０７Ｌ、２０７Ｒの傾斜形状に沿って各鏡筒２０７Ｌ、２０７Ｒに接触しているので、非平行な状態で左右の鏡筒２０７Ｌ、２０７Ｒを挟持することとなる。なお、図示は省略したが、第３実施形態においても載せ台２１３の上側面２１３ａおよび押え部材２１９の下側面２１９ｂには、それぞれ緩衝部材が貼り付けてある。
【００６８】
第３実施形態においても、載せ台２１３および押え部材２１９の左右方向側の端部は図１５（ａ）に示すように、左右の光軸ＬＬ、ＬＲからそれぞれ左右方向に少し張り出した位置にある。つまり双眼鏡２０４の左右方向の端部よりも内側に位置している。また、載せ台２１３の前後方向の端部については、前方側の端部は双眼鏡２０４の対物レンズ側端部よりも前方に位置しているが、後方側の端部は双眼鏡２０４の中央部の少し後方側に位置している。つまり、載せ台２１３の前後方向の長さは、双眼鏡２０４の前後方向の長さに比べてかなり短いものとなっている。
【００６９】
このように、第３実施形態に係る双眼鏡保持装置２０１においても、前後方向の大きさおよび左右方向の大きさが、保持する双眼鏡２０４の前後方向および左右方向の大きさよりも小さく形成され、小型軽量となっている。
【００７０】
以上、第１実施形態から第３実施形態まで説明したが、本発明は上記実施形態に限定されるものではない。例えば、第１実施形態において、支柱１６を光軸ＬＬ、ＬＲ方向に回動させる機構を蝶番を用いた構成にしても良い。また、第２実施形態において、押え部材１１９は板状に形成されているが、断面形状を略球状にしても良い。また、支柱１１６を載せ台１１３に固定しているが、第１実施形態のように可倒式としても良い。このように本発明は適宜変更が可能である。
【符号の説明】
【００７１】
１、１０１、２０１  保持装置
４、１０４、２０４  双眼鏡
７Ｌ、１０７Ｌ、２０７Ｌ  左側鏡筒
７Ｒ、１０７Ｒ、２０７Ｒ  右側鏡筒
１３、１１３、２１３  載せ台
１３ａ、１１３ａ  ２１３ａ上側面
１３ｂ  下側面
１６、１１６、２１６  支柱
１６ａ、１１６ａ  雄ねじ
１９、１１９、２１９  押え部材
２２  溝
２５、１２５  緩衝部材
２８  雌ねじ
３１、１３１  突出部
３４  凹部
４０、１４０  クランプノブ
４３、１４３軸
４５、１４５  貫通孔
４６、１４６雄ねじ
５２、１５２緩衝部材
５５  凹部
５６  凹部  
５８、１５８ａ、１５８ｂ  連結部
６１  １６１  対物レンズ
６４  １６４  接眼レンズ
６７Ｌ、６７Ｒ  腕部
７０  関節軸
７６  三脚
７９  雲台
８２  雲台座面
２２２  スプリング
【図１】
2011064896.tif 000003
【図２】
2011064896.tif 000004
【図３】
2011064896.tif 000005
【図４】
2011064896.tif 000006
【図５】
2011064896.tif 000007
【図６】
2011064896.tif 000008
【図７】
2011064896.tif 000009
【図８】
2011064896.tif 000010
【図９】
2011064896.tif 000011
【図１０】
2011064896.tif 000012
【図１１】
2011064896.tif 000013
【図１２】
2011064896.tif 000014
【図１３】
2011064896.tif 000015
【図１４】
2011064896.tif 000016
【図１５】
2011064896.tif 000017